(57)【要約】【課題】十分な記憶容量を備えた小型の情報記録媒体が添付され、当該情報記録媒体を、内容物を開封状態にすることなく取り出すことができるとともに容易に再生することのできる、包装容器を提供する。【解決手段】包装容器は、ジッパーを有するカートンと、前記カートンに前記カートンの外部に突出するように取り付けられたスパウトと、前記スパウトに保持された、ＵＳＢメモリあるいはカード型メモリからなる情報記録媒体と、前記スパウトを、前記情報記録媒体を内部に収容するように封栓するキャップと、を備えている。【選択図】図１
2013056682.tif 000002
【特許請求の範囲】
【請求項１】
ジッパーを有するカートンと、
前記カートンに前記カートンの外部に突出するように取り付けられたスパウトと、
前記スパウトに保持された、ＵＳＢメモリあるいはカード型メモリからなる情報記録媒体と、
前記スパウトを、前記情報記録媒体を内部に収容するように封栓するキャップと、を備えていることを特徴とする包装容器。
【請求項２】
前記情報記録媒体は、情報再生機器に接続するためのコネクタが前記スパウト内から前記カートンの外側へ向って突出した状態で、前記スパウトに固着されていることを特徴とする請求項１に記載の包装容器。
【請求項３】
前記カートンは、１つの上面壁、１つの底面壁、第１の側面壁、前記第１の側面壁と対向する第２の側面壁、前記第１の側面壁および前記第２の側面壁に隣接する第３の側面壁、前記第１の側面壁および前記第２の側面壁に隣接するとともに前記第３の側面壁と対向する第４の側面壁、および、１つの傾斜面壁によって囲まれた形状であり、
前記第１の側面壁は、前記底面壁に隣接するとともに、前記底面壁から前記上面壁と前記底面壁との間の高さまで設けられており、
前記傾斜面壁は、外面側が仰角に傾斜しており、傾斜上端で前記上面壁に隣接するとともに、前記高さに位置する傾斜下端で前記第１の側面壁に隣接しており、
前記第２の側面壁は、前記上面壁および前記底面壁に隣接しており、
前記第３の側面壁と前記第４の側面壁とはそれぞれ、前記上面壁、前記底面壁、および、前記傾斜面壁に隣接しており、
前記傾斜面壁に前記スパウトが取り付けられていることを特徴とする請求項１または２に記載の包装容器。
【請求項４】
前記上面壁の延長面と、前記第１の側面壁の延長面と、前記第３の側面壁の延長面と、前記第４の側面壁の延長面と、前記傾斜面壁とで囲まれる仮想空間内に、前記スパウトと前記スパウトを封栓したキャップとが収まっていることを特徴とする請求項３に記載の包装容器。
【請求項５】
前記第３の側面壁と前記第４の側面壁とのうちの一方を前記カートンの前面とするとともに他方を前記カートンの後面としたときに、
前記ジッパーは、
前記前面の前記高さより低い位置に、前記第１の側面壁と前記第２の側面壁との間を亘るように設けられたジッパー帯と、
前記第１の側面壁の前記高さより低い位置において、前記ジッパー帯の前記第１の側面壁に至る一端に連接しているとともに、前記一端から前記後面との境界まで斜め上方向に延伸するように形成されている第１のミシン目と、
前記第２の側面壁の前記高さより低い位置において、前記ジッパー帯の前記第２の側面壁に至る他端に連接しているとともに、前記他端から前記後面との境界まで斜め上方向に延伸するように形成されている第２のミシン目とからなることを特徴とする請求項３または４に記載の包装容器。
【請求項６】
前記第１の面に、前記スパウトが取り付けられている領域を囲むミシン目が形成されていることを特徴とする請求項３から５までのいずれか１項に記載の包装容器。
【請求項７】
ジッパーを有するカートンと、
前記カートンに前記カートンの外部に突出するように取り付けられたスパウトと、
前記スパウトを封栓するキャップと、
前記キャップが前記スパウトを封栓した状態で前記スパウト内に収容されるように前記キャップ内に保持された、ＵＳＢメモリあるいはカード型メモリからなる情報記録媒体とを備えていることを特徴とする包装容器。
【請求項８】
前記情報記録媒体は、情報再生機器に接続するためのコネクタが前記キャップの外部に突出した状態で前記キャップに固着されていることを特徴とする請求項７に記載の包装容器。
【発明の詳細な説明】
【技術分野】
【０００１】
本発明は、内容物が密封充填される包装容器に関し、より特定的には、内容物に加えて情報記録媒体が添付されたカートンを備える包装容器に関する。
【背景技術】
【０００２】
従来、食料品、飲料品、日用品、医薬品などを収容する包装容器に、これら内容物に加えて情報記録媒体を添付する技術が開示されている。当該情報記録媒体には、商品情報、キャンペーン情報、映像、音楽、ゲームといった商品の購入者に対して提供する情報が格納されている。購入者は、購入商品の開梱とともに情報記録媒体の取り出しが可能であり、情報記録媒体を再生機器で再生することにより、製造元あるいは販売元から提供された情報を取得することができる。
【０００３】
特許文献１には、図９に示すように、カップ本体１０１の中に商品１０２と個包装された情報記録媒体１０３とが収容されるとともに蓋体１０４によりカップ本体１０１の開口部が密封された構成の包装容器Ｐ１が記載されている。ここでは、情報記録媒体１０３としてＣＤやＤＶＤなどのディスク状の記録媒体が挙げられている。また、情報記録媒体１０３の個包装として、情報記録媒体１０３をプラスチックフィルム等で作製された袋体Ｐ２の中に収納することが行われている。
【０００４】
また、上記特許文献１の技術とは別に、商品や製品に関する情報が記録された媒体が商品あるいは製品に付加される例として、包装容器にＩＣチップや無線ＩＣタグを取り付ける技術が一般的に実施されている。
【０００５】
また、情報記録媒体を添付する代わりに、包装容器に二次元バーコード等の読取りマークを印刷することも行われている。この場合には、商品の購入者に携帯端末のカメラ等を用いて当該読み取りマークを読み取らせる。そして、購入者にこれにより得たインターネットアドレスにアクセスさせることで、製造元あるいは販売元から購入者に商品情報やキャンペーン情報を提供することができる。
【先行技術文献】
【特許文献】
【０００６】
【特許文献１】特開２００６−２７７１０号公報
【発明の概要】
【発明が解決しようとする課題】
【０００７】
しかしながら、前記特許文献１の技術のように、内容物が密封される容器と同じ容器内に情報記録媒体が収容される構成では、商品の購入者は内容物を開封状態としなければ情報記録媒体から情報を取得することができない。従って、商品購入後にまず提供された情報だけを閲覧あるいは視聴して、内容物は後で開封したいという購入者の要望に応えることができない。また上記の収容態様では、購入者は、情報記録媒体の情報を再生するまでに、包装容器全体の開封を行って情報記録媒体を商品とは選別して取り出し、さらに情報記録媒体を個別の包装体から取り出してから、再生機器に装填する動作を行うこととなる。従って、購入者は、情報記録媒体を商品自体から分離するための多くのアクションを強いられ、情報再生意欲を削がれやすい。
【０００８】
一方、包装容器にＩＣチップや無線ＩＣタグを取り付けることによる情報記録媒体の添付については、これら情報記録媒体は、内容物と分離された箇所に配置され得るものの、記憶容量が小さい上に、一般の購入者がこれらの情報記録媒体を読み取る装置を有していないことから、購入者向けの汎用の情報記録媒体としては採用しにくい。また、ＣＤやＤＶＤなどのディスク状の記録媒体は、大容量であって汎用の再生装置が普及しているが、包装容器に添付するには嵩張るほどの大きさであるので、単に貼り付けたり同梱したりする程度に留まり、購入者による取り扱いの利便性を配慮した添付レイアウトを提供するまでには至っていない。
【０００９】
さらに、包装容器に二次元バーコード等の読取りマークを印刷することによる情報提供方法には、購入者に読取りマークを読み取る手間をかけさせることになるとともに、インターネットへの接続環境が整備されていない場所ではサービスを利用することができないという不都合が発生する。従って、この方法を情報記録媒体の包装容器への添付に代えることは難しい。
【００１０】
以上のように、情報記憶媒体が添付された従来の包装容器には、十分な記憶容量を備えた小型の情報記録媒体を、内容物を開封状態にすることなく取り出すことができるとともに容易に再生可能なように添付する技術が提案されていなかった。
【００１１】
本発明は、上記課題を解決するものであり、十分な記憶容量を備えた小型の情報記録媒体が添付され、当該情報記録媒体を、内容物を開封状態にすることなく取り出すことができるとともに容易に再生することのできる包装容器を提供することを目的とする。
【課題を解決するための手段】
【００１２】
本発明は、ジッパーを有するカートンと、前記カートンに前記カートンの外部に突出するように取り付けられたスパウトと、前記スパウトに保持された、ＵＳＢメモリあるいはカード型メモリからなる情報記録媒体と、前記スパウトを、前記情報記録媒体を内部に収容するように封栓するキャップと、を備えている包装容器である。
【００１３】
また、本発明は、ジッパーを有するカートンと、前記カートンに前記カートンの外部に突出するように取り付けられたスパウトと、前記スパウトを封栓するキャップと、前記キャップが前記スパウトを封栓した状態で前記スパウト内に収容されるように前記キャップ内に保持された、ＵＳＢメモリあるいはカード型メモリからなる情報記録媒体とを備えている包装容器である。
【発明の効果】
【００１４】
本発明の構成によれば、ＵＳＢメモリあるいはカード型メモリという小型大容量の情報記録媒体が、カートンに取り付けられたスパウトとスパウトを封栓したキャップとの内部に収容されることで包装容器に一体化された状態に添付されている。内容物はジッパーを引き裂いて取り出せる袋体等に別途収容可能であるので、当該情報記録媒体は、前記キャップを外すことにより、内容物を開封状態にすることなく取り出すことが可能である。また、情報記録媒体がＵＳＢメモリまたはカード型メモリであるので、包装容器から情報記録媒体を取り出した開封者は、身近な情報再生機器によって即座に情報を再生することができる。
【図面の簡単な説明】
【００１５】
【図１】本発明の実施形態に係る包装容器のキャップを外した状態の外観構成を示す斜視図である。
【図２】図１の包装容器のキャップを取り付けた状態の外観構成を示す斜視図である。
【図３】図１の包装容器の口栓付近の構成を示す透視端面図である。
【図４】図１の包装容器から取り出した情報記録媒体を情報再生機器に接続する状態を説明する図である。
【図５】図１の包装容器から内容物を取り出すときの状態を説明する図である。
【図６】図１の包装容器のカートンにスパウトを取り付ける工程を説明する図である。
【図７】本発明の実施形態の変形例に係る包装容器における口栓付近の構成を示す斜視図である。
【図８】本発明の実施形態の他の変形例に係る包装容器の外観構成を示す斜視図である。
【図９】従来技術を示すものであり、包装容器の構成を示す図である。
【発明を実施するための形態】
【００１６】
本発明の実施形態について図１ないし図８を用いて説明すれば以下の通りである。
【００１７】
〔包装容器の構成〕
図１に、本実施形態に係る包装容器１の外観斜視図を示す。
包装容器１は、カートン２、キャップ３、スパウト４、および、情報記録媒体５を備えている。カートン２はジッパー２０を有している。
【００１８】
カートン２は、図２に示すように、カートン紙が折り込まれて組み立てられることにより、上面壁２ａ、底面壁２ｂ、側面壁（第１の側面壁）２ｃ、側面壁（第２の側面壁）２ｄ、側面壁（第３の側面壁）２ｅ、側面壁（第４の側面壁）２ｆ、および、傾斜面壁２ｇに囲まれた形状をなす。側面壁２ｃと側面壁２ｄとは互いに対向しており、側面壁２ｅと側面壁２ｆとは互いに対向している。側面壁２ｃと側面壁２ｄとが対向する方向と、側面壁２ｅと側面壁２ｆとが対向する方向とは、互いに直交している。上面壁２ａ、底面壁２ｂ、側面壁２ｃ、および、側面壁２ｄは、直角四辺形状の拡がりとカートン紙の厚みに応じた厚みとを有する。
【００１９】
側面壁２ｃは、底面壁２ｂから上面壁２ａと底面壁２ｂとの間の高さＨまで設けられている。傾斜面壁２ｇは、外面側が仰角に傾斜しており、傾斜上端で上面壁２ａに隣接するとともに、高さＨに位置する傾斜下端で側面壁２ｃに隣接している。このように、側面壁２ｃは、底面壁２ｂ、側面壁２ｅ、側面壁２ｆ、および、傾斜面壁２ｇに隣接しており、直角四辺形の一角がカットされた五角形状の拡がりとカートン紙の厚みに応じた厚みとを有している。また、側面壁２ｄは、上面壁２ａ、底面壁２ｂ、側面壁２ｅ、および、側面壁２ｆに隣接しており、直角四辺形の一角がカットされた五角形状の拡がりとカートン紙の厚みに応じた厚みとを有している。側面壁２ｅと側面壁２ｆとはそれぞれ、上面壁２ａ、底面壁２ｂ、側面壁２ｃ、側面壁２ｄ、および、傾斜面壁２ｇに隣接している。
【００２０】
上記の上面壁２ａ、底面壁２ｂ、側面壁２ｃ、側面壁２ｄ、側面壁２ｅ、側面壁２ｆ、および、傾斜面壁２ｇは、それぞれ、フラップを付帯するあるいは付帯しない１つの面板で構成されていてもよいし、複数のフラップが重ねて貼り合されるように構成されていてもよいし、複数のフラップが噛み合うように構成されていてもよい。これらの面壁の構成は一般に知られているカートンの構成形態で実現可能であるため、ここでは詳述しない。
【００２１】
ジッパー２０は、ジッパー帯２１、ミシン目（第１のミシン目）２２、および、ミシン目（第２のミシン目）２３からなる。ジッパー帯２１は、側面壁２ｅの、高さＨより低い位置に、側面壁２ｃと側面壁２ｄとの間を亘るように設けられている。ここでは、ジッパー帯２０は、側面壁２ｃに至る一端から側面壁２ｄに至る他端に向って、高さ方向に直交する横方向に引き裂き可能なように設けられているが、引き裂きの向きは逆に設定されていてもよい。
【００２２】
ミシン目２２は、側面壁２ｃの高さＨより低い位置において、ジッパー帯２２の前記一端と連接しているとともに、当該一端から側面壁２ｆとの境界まで斜め上方向に延伸するように形成されている。ミシン目２３は、側面壁２ｄの高さＨより低い位置において、ジッパー帯２２の前記他端と連接しているとともに、当該他端から側面壁２ｆとの境界まで斜め上方向に延伸するように形成されている。ミシン目２２およびミシン目２３の両方とも、ジッパー帯２１を形成する上下に対をなすミシン目のうちの上側のミシン目に連接している。
【００２３】
側面壁２ｆには、ミシン目２２の側面壁２ｆ上での終端と、ミシン目２３の側面壁２ｆ上での終端とを結ぶ折罫２４が予め形成されている。ジッパー帯２２を引き裂き、ミシン目２２・２３を破断した後に、折罫２４を軸としてカートン２の上部側を側面壁２ｅ側から側面壁２ｆ側に倒すことで、カートン２の開封を行うことができる。
【００２４】
このように、上記例では、側面壁２ｅはカートン２の前面に相当し、側面壁２ｆはカートン２の後面に相当する。なお、側面壁２ｆにジッパー帯を形成して側面壁２ｆをカートン２の前面とし、側面壁２ｅをカートン２の後面としてもよい。
【００２５】
スパウト４は、カートン２の傾斜面壁２ｇに取り付けられている。キャップ３はスパウト４を封栓する。キャップ３とスパウト４とは樹脂製であり、両者の組合せにより口栓が構成されている。当該口栓は、カートン２の内容物の取り出しには用いられず、情報記録媒体５の収容に用いられる。
【００２６】
図３に示すように、スパウト４は、外周面にネジを有する円筒状の本体４ａと、本体４ａの底部に接続されたフランジ４ｂとを備えている。フランジ４ｂは本体４ａよりも大径のリング状あるいは円盤状の部材である。本体４ａは、傾斜面壁２ｇに形成された、フランジ４ｂよりも小径の孔を通して傾斜面壁２ｇの裏面側から挿し込まれている。フランジ４ｂが傾斜面壁２ｇの裏面に溶着されることにより、スパウト４が傾斜面壁２ｇに取り付けられている。
【００２７】
図１および図３に示すように、情報記録媒体５はスパウト４に保持されている。詳細には、情報記録媒体５は、本体４ａの内側に、コネクタ５ａがスパウト４内からカートン２の外側に向って突出した状態で、樹脂により埋め込まれることによって固着されている。
【００２８】
キャップ３は、一端が閉塞された円筒状の部材からなる。キャップ３の内周には、スパウト４の本体４ａのネジと螺合するネジ溝が形成されている。図２および図３に示すように、キャップ３がスパウト４の本体４ａに螺嵌された状態では、キャップ３は情報記録媒体５を内部に収容する。なお、キャップ３とスパウト４とは螺嵌により口栓を構成している必要はなく、どのような係合形態でもよい。また、これらの口栓に再封性が備わっている必要もない。
【００２９】
情報記録媒体５は、ＵＳＢメモリあるいはカード型メモリからなる。すなわち、情報記録媒体５は、パーソナルコンピュータ、携帯端末などのコンピュータ構成を有する機器に備えられたインタフェース・コネクタへの接続によって情報再生機器に接続可能な小型大容量のメモリである。図１には情報記録媒体５としてＵＳＢメモリを備える例が示されている。これらＵＳＢメモリおよびカード型メモリとしてフラッシュメモリを内蔵したものが一般的に使用可能である。カード型メモリの形態としては、一般にメモリカードと呼ばれるフラッシュメモリを内蔵したものの他に、磁気抵抗メモリ、強誘電体メモリ、相変化メモリなど、考えられる任意の種類のメモリデバイスが使用可能である。また、カード型メモリにＵＳＢコネクタが付属していてもよい。
【００３０】
図３に一点鎖線で示すように、上面壁２ａの延長面と、側面壁２ｃの延長面と、側面壁２ｅの延長面と、側面壁２ｆの延長面と、傾斜面壁２ｇとで囲まれる仮想空間Ｋ内に、口栓、すなわち、スパウト４とスパウト４を封栓したキャップ３とが収まっている。この構成によれば、口栓が包装容器１の包絡的な形状である直方体状の占有空間から飛び出すことがない。従って、包装容器１の搬送や運搬に際して、複数の包装容器１が積載されたり、並べられたり、梱包されたりしても、包装容器１どうしが干渉することがない。
【００３１】
図４に示すように、口栓の開封者は、スパウト４から露出したコネクタ５ａをそのまま、ノート型、携帯型、デスクトップ型、タブレット型などのパーソナルコンピュータ、携帯電話、スマートフォン、ＰＨＳ、電子手帳などの携帯端末、あるいは、パーソナルコンピュータや携帯端末に接続された周辺機器、といった情報再生機器１０のインタフェース・コネクタ１０ａに接続することができる。例えば、情報記録媒体５がＵＳＢメモリであれば、コネクタ５ａはインタフェース・コネクタ１０ａとしてのＵＳＢ接続端子に挿入される。また、情報記録媒体５がカード型メモリであれば、情報記録媒体５をスパウト４から取り外せるようにしておくことで、情報記録媒体５をインタフェース・コネクタ１０ａとしてのカードスロットあるいはカードアダプタに装着することができる。なお、ＵＳＢメモリとしての情報記録媒体５がスパウト４から取り外し可能であってもよい。また、情報記録媒体５がＵＳＢコネクタの付属したカード型メモリであれば、情報記録媒体５をスパウト４に対して固着してあるいは取り外し可能として、コネクタ５ａはインタフェース・コネクタ１０ａとしてのＵＳＢ接続端子に挿入される。
【００３２】
小型大容量の情報記録媒体５には予め、商品自体の情報、販売メーカーの広告、キャンペーン情報などが格納されている。また、商品に関連した映像、ゲーム等も格納対象となる。情報記録媒体５は、キャップ３とスパウト４とで構成される口栓内に備えられているので、内容物を開封することなく取り出すことが可能である。また、情報記録媒体５がＵＳＢメモリまたはカード型メモリであるので、包装容器１から情報記録媒体５を取り出した開封者は、対応するインタフェース・コネクタ１０ａを標準装備していることが多い身近な情報再生機器１０によって即座に情報を再生して、メッセージや映像を閲覧したりゲームを楽しんだりすることができる。情報記録媒体５は、ＣＤやＤＶＤなどのディスク状の記録媒体のように包装容器に添付するのに嵩張ることはない。また、包装容器に取り付けられたＩＣチップや無線ＩＣタグよりも十分に大きな記憶容量を有している。また、情報記録媒体５が包装容器１に添付されることにより、２次元バーコードなどの読取りマークの読み取りのような面倒な作業やインターネット接続環境も不要である。
【００３３】
開封者は、内容物を取り出すときには、図５に示すように、ジッパー帯２１を引き裂き、ミシン目２２・２３を破断することによりカートン２を開封する。続いて、カートン２の上部側を前面側から後面側に倒し、カートン２の開口から内容物を収容した袋体５０を取り出す。
【００３４】
〔スパウトの取付け工程〕
図６に、カートン２にスパウト４を取り付ける工程の一例を示す。
【００３５】
本体４ａ内に予め情報記録媒体５が樹脂で埋め込まれたスパウト４は、折り込みが完了していないカートン紙２’に前述のように孔を通して裏面側から挿し込まれる。このとき、上面壁２ａや傾斜面壁２ｇはまだ折り込まれていない状態であり、傾斜面壁２ｇとなる面は側面壁２ｃとなる面と同じ面上にある。
【００３６】
スパウト４は、一般に用いられる口栓溶着装置によってカートン紙２’に溶着可能である。図６に示すように、カートン紙２’は、例えば、鉛直上方の位置Ｙ１で口栓溶着装置のアンビルによって固定されるとともに、鉛直下方の位置Ｙ２で搬送装置によって保持される。口栓溶着装置に備えられた超音波溶着手段の振動ホーン１１が、先端に形成された凹部１１ａ内に本体４ａが収まるようにスパウト４にあてがわれる。これによりスパウト４に超音波振動が与えられ、加熱されたフランジ４ｂがカートン紙２’の熱溶融層と溶着される。
【００３７】
〔包装容器の変形例〕
図７に、本実施形態の変形例に係る包装容器６１の構成を、口栓付近について示す。
包装容器６１は、包装容器１のキャップ３をキャップ３１に、スパウト４をスパウト４１に、それぞれ置き換えたものである。また、情報記録媒体５はキャップ３１に保持されている。
【００３８】
キャップ３１は、キャップ３よりも短い円筒部分３１ａを備えている。円筒部分３１ａの内面には、スパウト４１のネジと螺合するネジ溝が形成されている。情報記録媒体５は、コネクタ５ａがキャップ３内から外部に向って突出した状態で、樹脂により埋め込まれることによってキャップ３に固着されている。なお、情報記録媒体５はキャップ３に取り外し可能に保持されていてもよい。スパウト４１の円筒状の本体４１ａは、スパウト４の本体４ａよりも長い側壁を有しており、本体４１ａのネジは側壁の開口端側からキャップ３１のネジ溝と係合する途中までの範囲のみに設けられている。スパウト４１のフランジ４１ｂはスパウト４のフランジ４ｂと同様の構成である。
【００３９】
本体４１ａが長い側壁を有しているので、キャップ３１がスパウト４１を封栓した状態において、情報記録媒体５はスパウト４１内に収容される。
【００４０】
図７の場合にも、開封者は、キャップ３１から露出したコネクタ５ａをそのまま情報再生機器１０のインタフェース・コネクタ１０ａに接続することができる。情報記録媒体５にキャップ３１が付着しているだけであるので、開封者は情報記録媒体５をカートン２から離れた別の所望する場所で保管することができる。
【００４１】
また、情報記録媒体５が、スパウト４あるいはキャップ３１から取り外して単体で利用することができるように保持されている場合にも、情報の再生の容易さおよび迅速さは従来技術として説明したものよりも向上する。情報記録媒体５が、成形された樹脂の嵌め込み部に対して着脱可能に形成されているような場合には、開封者は、情報記録媒体５を、カートン２あるいはキャップ３１との一体性を保持した状態で使用するか、単体で使用するかを選択することができる。図７に示す方法は、情報記録媒体５を単体で使用することとほぼ等しい。情報記録媒体５の全体がカードスロット内やアダプタ内に収容されて情報の再生が行われるような場合には、上記のように情報記録媒体５がスパウト４あるいはキャップ３１から単体で取り出せると好都合である。
【００４２】
図８に、本実施形態の他の変形例に係る包装容器７１の構成を示す。
包装容器７１は、包装容器１において、傾斜面壁２ｇに、スパウト４が取り付けられている領域を囲むミシン目２５が形成された構成である。この構成によれば、ミシン目２５を破断することにより、カートン２から、情報記録媒体５を保持したスパウト４あるいはキャップ３とスパウト４との組合せからなる口栓を、分離して取り出すことができる。従って、開封者は情報記録媒体５を口栓内に封栓したまま保管することができる。
【産業上の利用可能性】
【００４３】
本発明の包装容器は、カートンに詰めた食品、医薬品などの物品に、販売促進効果や消費者とのコミュニケーション性を付加することに特に利用効果がある。
【符号の説明】
【００４４】
１          包装容器
２          カートン
２ａ        上面壁
２ｂ        底面壁
２ｃ        側面壁（第１の側面壁）
２ｄ        側面壁（第２の側面壁）
２ｅ        側面壁（第３の側面壁）
２ｆ        側面壁（第４の側面壁）
３          キャップ
４          スパウト
５          情報記録媒体
５ａ        コネクタ
１０        情報再生機器
２０        ジッパー
２１        ジッパー帯
２２        ミシン目（第１のミシン目）
２３        ミシン目（第２のミシン目）
２５        ミシン目（スパウトが取り付けられている領域を囲むミシン目）
３１        キャップ
４１        スパウト
６１        包装容器
７１        包装容器
Ｈ          高さ
Ｋ          仮想空間
【図１】
2013056682.tif 000003
【図２】
2013056682.tif 000004
【図３】
2013056682.tif 000005
【図４】
2013056682.tif 000006
【図５】
2013056682.tif 000007
【図６】
2013056682.tif 000008
【図７】
2013056682.tif 000009
【図８】
2013056682.tif 000010
【図９】
2013056682.tif 000011